(57)【要約】【課題】複数の機器間でデータの受け渡しがなされる通信システムにおいて、他の機器間のデータの送受信を基準に、自身の機器のデータ送信が正常に完了したと判定できるようにすること。【解決手段】複数の機器間でデータを受け渡す通信システムであって、各機器は、データを送受信する通信手段と、他の機器間におけるデータの送受信を検知する検知手段と、データ送信が正常に完了したかを判定する判定手段を備え、第一の機器がデータを送信した第二の機器と第三の機器との間のデータの送受信を検知手段が検知した場合に、第一の機器の判定手段は第一の機器から第二の機器へのデータの送信が正常に完了したと判定する構成とする。【選択図】図５
2018148308.tif 000002
【特許請求の範囲】
【請求項１】
複数の機器間でデータを受け渡す通信システムであって、各機器は、データを送受信する通信手段と、他の機器間におけるデータの送受信を検知する検知手段と、データ送信が正常に完了したかを判定する判定手段を備え、第一の機器がデータを送信した第二の機器と第三の機器との間のデータの送受信を検知手段が検知した場合に、第一の機器の判定手段は第一の機器から第二の機器へのデータの送信が正常に完了したと判定する通信システム。
【請求項２】
第一の機器が第二の機器にデータを送信後、一定時間以内に第二の機器と第三の機器との間のデータの送受信を検知手段が検知しない場合に、第一の機器が第三の機器に対してデータを送信する請求項１に記載の通信システム。
【請求項３】
各機器は、受信したデータを送信用のデータに更新するデータ更新手段を備える請求項１又は２に記載の通信システム。
【請求項４】
第一の機器が第二の機器にデータを送信後、一定時間以内に第二の機器と第三の機器との間のデータの送受信を検知手段が検知しない場合に、第一の機器のデータ更新手段が、第二の機器の故障情報を送信データへ追加する更新を行う請求項３に記載の通信システム。
【請求項５】
外部のサーバと通信する外部通信手段を備えた機器を少なくとも一つ備えた通信システムであって、外部通信手段を備えた機器がデータを受信した後、外部通信手段が外部のサーバに受信データを送信する請求項１乃至４の何れかに記載の通信システム。
【発明の詳細な説明】
【技術分野】
【０００１】
本発明は、通信システムに関するものである。
【背景技術】
【０００２】
特許文献１に記載されているように、複数の機器を環状に接続し、伝文を隣の機器へ送信し、その伝文を受取った機器はさらに隣の機器へ送信し、最後の機器が最初の機器へ送信するリング型の通信システム（トークンリング方式）がある。
【先行技術文献】
【特許文献】
【０００３】
【特許文献１】特開平０１−２２０５４７号公報
【０００４】
ところで、従来のトークンリング方式では、送信権が機器から機器へと順に送られるものであるため、１つの機器に故障が発生してしまうと、それが原因で、それ以降の通信が正常に行われないという点が問題であった。
【発明の概要】
【発明が解決しようとする課題】
【０００５】
本発明は、このような背景を基になされたものであり、本発明の課題は、複数の機器間でデータの受け渡しがなされる通信システムにおいて、他の機器間のデータの送受信を基準に、自身の機器のデータ送信が正常に完了したと判定できるようにすることである。
【課題を解決するための手段】
【０００６】
上記課題を解決するため、複数の機器間でデータを受け渡す通信システムであって、各機器は、データを送受信する通信手段と、他の機器間におけるデータの送受信を検知する検知手段と、データ送信が正常に完了したかを判定する判定手段を備え、第一の機器がデータを送信した第二の機器と第三の機器との間のデータの送受信を検知手段が検知した場合に、第一の機器の判定手段は第一の機器から第二の機器へのデータの送信が正常に完了したと判定する通信システムとする。
【０００７】
また、第一の機器が第二の機器にデータを送信後、一定時間以内に第二の機器と第三の機器との間のデータの送受信を検知手段が検知しない場合に、第一の機器が第三の機器に対してデータを送信する構成とすることが好ましい。
【０００８】
また、各機器は、受信したデータを送信用のデータに更新するデータ更新手段を備える構成とすることが好ましい。
【０００９】
更には、第一の機器が第二の機器にデータを送信後、一定時間以内に第二の機器と第三の機器との間のデータの送受信を検知手段が検知しない場合に、第一の機器のデータ更新手段が、第二の機器の故障情報を送信データへ追加する更新を行う構成とすることが好ましい。
【００１０】
また、外部のサーバと通信する外部通信手段を備えた機器を少なくとも一つ備えた通信システムであって、外部通信手段を備えた機器がデータを受信した後、外部通信手段が外部のサーバに受信データを送信する構成とすることが好ましい。
【発明の効果】
【００１１】
本発明では、複数の機器間でデータの受け渡しがなされる通信システムにおいて、他の機器間のデータの送受信を基準に、自身の機器のデータ送信が正常に完了したと判定できるようにすることが可能となる。
【図面の簡単な説明】
【００１２】
【図１】通信システムと外部サーバを示した図である。
【図２】機器として５つの車両用充電器を用いた通信システムと外部サーバを示した図である。
【図３】正常な状況における機器間のデータ送受信の流れを表す概略図である。
【図４】「Ｎ＋１」番の機器が故障した状況における機器間のデータ送受信の流れを表す概略図である。
【図５】Ａから１番に対してデータ送信後、一定時間経過後に１番から２番にデータが送信されていないと判定した場合に、Ａから２番に対してデータ送信することを表した図である。
【図６】「Ｎ＋１」番及び「Ｎ＋２」番の機器が故障した状況における機器間のデータ送受信の流れを表す概略図である。
【発明を実施するための形態】
【００１３】
以下に発明を実施するための形態を示す。本実施形態の通信システム１０は、複数の機器１１間でデータを受け渡す通信システム１０である。各機器１１は、データを送受信する通信手段と、他の機器１１間におけるデータの送受信を検知する検知手段と、データ送信が正常に完了したかを判定する判定手段を備えている。また、第一の機器がデータを送信した第二の機器と第三の機器との間のデータの送受信を検知手段が検知した場合に、第一の機器の判定手段は第一の機器から第二の機器へのデータの送信が正常に完了したと判定する。このため、複数の機器１１間でデータの受け渡しがなされる通信システム１０において、他の機器間のデータの送受信を基準に、自身の機器のデータ送信が正常に完了したと判定できるようにすることが可能となる。また、第二の機器が正常か否かも同時に判定することが可能となる。
【００１４】
ここで、実施形態の通信システム１０について、詳しく説明する。本実施形態の通信システム１０は、一般的にトークンリング方式といわれるものをベースにしており、図１に示すことから理解されるように、各機器１１が伝送路を介してリング状に接続されている。本実施形態における機器１１は車両用充電器であり、リング状に接続された各々の車両用充電器にデータが順に受け渡される。このとき、送信権と呼ばれる送信する機器を特定する信号を送信データに組込むことで、車両用充電器間のデータの送受信の衝突が避けられるように構成されている。つまり、データの受け渡しとともに、送信権が受け渡されることで、データを送信する車両用充電器が移っていく。
【００１５】
本実施形態の通信システム１０の機器１１である各々の車両用充電器は、少なくとも通信手段、検知手段、データ更新手段、判定手段を備えている。また、本実施形態の通信システム１０は、それらに加えて外部通信手段を備えた車両用充電器も備えている。これらの車両用充電器の集合体は、リング状に接続され、通信を行う。
【００１６】
本実施形態の通信手段は、各車両用充電器間のデータの送受信を行う手段であり、各車両用充電器は有線又は無線の通信方式によって、接続される。
【００１７】
本実施形態の検知手段は、他の車両用充電器間でデータの送受信が行われたことを検知する手段である。各車両用充電器は伝送路を介して接続されているため、第一の車両用充電器が第二の車両用充電器にデータを送信した情報を、それ以外の車両用充電器も把握できる。このとき、第一の車両用充電器からの送信データに、受信先の情報として第二の車両用充電器の宛先が組込まれているため、第二の車両用充電器のみが、第一の車両用充電器からの送信データを受信する。
【００１８】
本実施形態のデータ更新手段は、受信したデータを送信用のデータに更新する手段である。受信した車両用充電器のみが獲得すればよいデータが含まれている場合には、このデータ更新手段を用いて、そのデータを部分的に削除することができる。また、受信した車両用充電器が計測等したデータを送信したい場合には、データ更新手段を用いて、そのデータを追加することができる。データ更新手段は、このような例以外にも使用可能であり、その更新内容は問わない。
【００１９】
本実施形態の判定手段は、データの送受信が正常に完了したことを判定する手段であり、第一の車両用充電器がデータを送信した第二の車両用充電器と第三の車両用充電器とのデータの送受信が検知手段によって、検知されたときに、第一の車両用充電器と第二の車両用充電器とのデータの送受信が正常に完了したことを判定する。
【００２０】
ここでは、図２に示すように、外部通信手段を備えていない４台の車両用充電器（１〜４）と、外部通信手段を備えた１台の車両用充電器（Ａ）の５台で構成される集合体を例に説明する。また、データの送信を開始する車両用充電器は特に限定されないが、車両用充電器Ａを開始点として説明する。このとき、外部のサーバ１３から車両用充電器Ａの外部通信手段に対して指示を与えることでデータの送信を開始してもよい。
【００２１】
先ず、図３を参考にして、正常な通信状態について説明する。正常な通信においては、車両用充電器Ａは、車両用充電器１に対して送信権が組込まれたデータを送信する。車両用充電器１はデータを受信し、受信したデータを更新する。データ更新の内容としては、「車両用充電器１が送信するデータを追加するもの」や「車両用充電器１宛に送信されたデータを削除するもの」など、受信したデータと送信するデータを変更するものとする。ただし、送信するデータを変更する必要がない場合には、データを更新しなくてもよい。
【００２２】
次に、車両用充電器１は、車両用充電器２に対してデータを送信する。図３に示すことから理解されるように、車両用充電器２〜車両用充電器４は、同様のことを繰り返すが、車両用充電器４は、車両用充電器Ａに対してデータを送信する。車両用充電器Ａは、車両用充電器４から受信したデータを外部通信手段によって、サーバ１３へ送信する。
【００２３】
このように、各機器１１が順調にデータを送信している間は良いが、常時そのような状態でいるとは限らない。例えば「Ｎ＋１」番の機器１１が故障している場合、図４に示すような流れで処理が行われる。ここでは、車両用充電器１が故障している場合を例に、本実施形態の通信システム１０について詳しく説明する。ここでいう、車両用充電器１の故障とは、「車両用充電器Ａからのデータを受信できず、車両用充電器２へデータを送信できない場合」や「車両用充電器Ａからデータを受信できるが、車両用充電器２へデータを送信できない場合」などである。つまり、車両用充電器２へデータを送信できない場合に故障と判断する。
【００２４】
車両用充電器Ａは、車両用充電器１に対してデータを送信する。しかし、車両用充電器１は故障しているため、一定時間経過しても、車両用充電器１から車両用充電器２へデータが送信されない。一方、車両用充電器１と車両用充電器２とのデータの送受信について、車両用充電器Ａの検知手段などによって把握することができる。
【００２５】
なお、正常時には、車両用充電器１の送信先となっている車両用充電器２はデータを受信した後に車両用充電器３へデータを送信したり、受信データに対応したアクションを起こしたりするが、それ以外の車両用充電器（Ａ、３、４）については、車両用充電器１と車両用充電器２との間でデータの送受信がされたことを検知するだけで、特にアクションを起こさない。
【００２６】
車両用充電器Ａは、一定時間経過後も車両用充電器１から車両用充電器２へデータ送信されないことを検知手段が検知すると、車両用充電器１が故障している旨の情報を追加するデータ更新を行う。このように、第一の機器が第二の機器にデータを送付後、一定時間以内にデータの受け渡しが正常に行われたと判定されない場合に、データ更新手段が、第二の機器の故障情報を送信データへ追加する更新を行う構成とすることで、機器１１の故障情報を他の機器１１に通信することができる。
【００２７】
また、図５に示すように車両用充電器Ａは、一定時間経過後も車両用充電器１から車両用充電器２へデータ送信されないことを把握すると、車両用充電器Ａは、車両用充電器１が通信する予定であった車両用充電器２へデータを送信する。このように、第一の機器が第二の機器に送信権を送付後、一定時間以内にデータの受け渡しが正常に行われたと判定されない場合に、第二の機器がデータを送信する予定であった第三の機器に対して第一の機器がデータを送信する構成とすることで、機器の故障によって、通信を滞らせることなく、故障していない機器１１間でデータの送受信ができる。
【００２８】
その後、車両用充電器２〜車両用充電器４については、正常な通信を経て、車両用充電器Ａへデータを送信する。車両用充電器４からデータを得た車両用充電器Ａは、車両用充電器４から受信したデータをサーバ１３へ送信するが、このとき、車両用充電器１が故障している情報もサーバ１３へ送信される。このように、全ての機器１１のデータ更新手段によって更新されたデータを外部のサーバ１３に送信する外部通信手段が、データ更新手段によって追加された故障情報も含めて外部のサーバ１３に送信する構成とすることで、各機器１１のサーバ１３へのデータ送信を一括で行うことができるため、効率が良い。また、機器１１の故障情報を外部へ伝えることができる。
【００２９】
ところで、複数の機器１１が故障する場合もあり得る。車両用充電器１から送信権が送付される予定である車両用充電器２についても、故障している場合は、車両用充電器１が故障している場合と同様の流れで、車両用充電器Ａから車両用充電器３へ送信権とともにデータが送信される。同様に、「Ｎ＋１」番及び「Ｎ＋２」番の機器１１が故障している場合、図６に示すような流れで処理が行われる。つまり、判定手段によって、データ送信が正常に完了したと判定されるまで、故障している機器１１を飛ばしてデータを送信する。
【００３０】
外部通信手段を備えた車両用充電器Ａが故障したとしても、異常の判別後に車両用充電器４が車両用充電器１にデータを送信するため、車両用充電器同士の通信システム１０が滞ることはないが、車両用充電器とサーバ１３との間ではデータの送受信を行うことができなくなる。この場合に備えて、車両用充電器Ａ以外の車両用充電器にも外部通信手段を備えることが好ましい。そうすれば、車両用充電器Ａが故障した際の緊急時にも外部通信ができる。
【００３１】
以上、いくつかの実施形態を中心に説明してきたが、本発明は上記実施形態に限定されることはなく、各種の態様とすることが可能である。例えば、機器は車両用充電器ではなく、その他の用途に使用するものとしても良い。
【００３２】
また、故障情報を送信データへ追加する更新を行うデータ更新手段は、いずれの機器に備えられているものとしても良い。
【符号の説明】
【００３３】
１０  通信システム
１１  機器
１３  サーバ
【図１】
2018148308.tif 000003
【図２】
2018148308.tif 000004
【図３】
2018148308.tif 000005
【図４】
2018148308.tif 000006
【図５】
2018148308.tif 000007
【図６】
2018148308.tif 000008